(57)【特許請求の範囲】
【請求項１】
混合回路と局部発振回路とによって中間周波数に周波数変換されたテレビ信号を増幅する中間周波増幅回路と、入力容量を有して、前記テレビ信号を所定の選択度特性で伝送するＳＡＷフィルタとを備え、前記中間周波増幅回路と前記ＳＡＷフィルタとの間にインダクタを直列接続し、前記インダクタと前記ＳＡＷフィルタの前記入力容量とでロ−パスフィルタを構成し、前記ロ−パスフィルタのカットオフ周波数を前記中間周波数の帯域よりも高く、前記局部発振回路の発振周波数よりも低く設定したことを特徴とする中間周波回路。
【発明の詳細な説明】
【０００１】
【発明の属する技術分野】
本発明は、テレビ受信機の中間周波回路に関する。
【０００２】
【従来の技術】
従来の中間周波回路を図７に示すブロック構成図、及び、図８乃至図１０に示す選択度特性図を用いて説明する。先ず、図７において、テレビチュ−ナの混合回路２１と局部発振回路２２とによって中間周波数に周波数変換されたテレビ信号は、中間周波同調回路２３、中間周波増幅回路２４、ＳＡＷフィルタ２５、を順次通過してビディオ検波回路２６に入力され、このビディオ検波回路２６でビディオ信号が取り出されるようになっている。
【０００３】
中間周波同調回路２３は、通常、単同調回路で構成されている。そして、図８に示すように、中間周波帯域（図８のＩｆ）をほぼ損失無く通過するように比較的緩慢なな選択度特性を有し、例えば、チュ−ナの局部発振回路２２の発振周波数Ｆｏにおいては、中間周波帯域ＩｆよりもＡｄＢ減衰するようになっている。また、この中間周波帯域を増幅する中間周波増幅回路２４は、テレビ信号を後段のビディオ検波回路２６の検波動作に必要なレベルまで適宜増幅するとともに直接ＳＡＷフィルタ２５に入力している。そして、通常、この中間周波同調回路２３、中間周波増幅回路２４は、混合回路２１等とともにテレビチュ−ナとして独立したシ−ルドケ−スに収納されているが、中間周波同調回路２３、中間周波増幅回路２４は、ＳＡＷフィルタ２５とともに中間周波回路を構成している。なお、テレビチュ−ナ内の中間周波増幅回路２４の増幅度のみではテレビ信号のレベルが不足してビディオ検波回路の動作に支障を来す場合にはテレビ受信機内に別個の中間周波増幅回路を設けて中間周波回路全体としての増幅度を得るようにすることもある。
【０００４】
ＳＡＷフィルタ２５は、通常、平衡型のものが使用され、隣接チャンネルからの妨害を排除するために、図９に示すように、中間周波帯域Ｉｆを外れたところでは急峻な減衰特性を有しているが、この中間周波帯域から遠く外れた周波数ではほぼ３０ｄＢ程度の一定の減衰量Ｂとなっている。従って、ＳＡＷフィルタ２５の出力端、即ち、ビディオ検波回路２６の入力端での選択度特性は、図１０に示すように、図８に示す中間周波同調回路２３の選択度特性と図９に示すＳＡＷフィルタ２５の選択度特性とを合わせた特性となり、中間周波帯域と局部発振周波数Ｆｏとにおけるレベル差はほぼＡ＋Ｂとなる。
【０００５】
一方、ビディオ検波回路２６は、電圧制御発振回路と位相比較回路とを有した同期検波方式が用いられており、そのために、中間周波増幅回路２４等によってテレビ信号を検波動作に必要なレベルまで増幅している。
【０００６】
【発明が解決しようとする課題】
上記の従来の中間周波回路では、テレビチュ−ナ内の中間周波増幅回路２４からの出力が直接ＳＡＷフィルタ２５に入力されようになっている。その結果、ビディオ検波回路２６には中間周波帯域のテレビ信号が所定のレベルで入力されるとともに、チュ−ナの局部発振回路２２からの局部発振信号が、比較的大きなレベルでビディオ検波回路２６に入力されることになる。
【０００７】
即ち、局部発振回路２２からの局部発振信号はテレビ信号よりもかなり大きく、しかも、この局部発振信号のビディオ検波回路２６への入力レベルを制限するのは中間周波同調回路２３とＳＡＷフィルタ２５のみで決まる減衰量（図１０のＡ＋Ｂ）であることから、局部発振信号は無視出来ないレベルでビディオ検波回路２６へ入力される。
【０００８】
その結果、ビディオ検波回路２６ではテレビ信号とこのビディオ検波回路２６内の電圧制御発振回路の発振信号とテレビチュ−ナの局部発振信号とが複雑に混合されることになり、このビディオ検波回路２６内で不要な妨害信号を生成することになり、テレビ受信機の映像品質を悪化させることになる。また、局部発振信号のレベルが大きいことから検波回路２６内で相互変調波が発生し同様にテレビ受信機の映像を悪化させることになる。
【０００９】
また、ビディオ検波回路２６が正常に機能するためには所定のレベルの中間周波信号を必要とし、そのため、チュ−ナの中間周波増幅回路２４ではレベルの高い信号を出力出来るように増幅度を高くするとともに中間周波増幅回路２４を構成する増幅用のトランジスタを大振幅で動作させる必要があり、この結果、中間周波増幅回路２４でも相互変調による歪みが発生し、これが同様にテレビ受信機の映像品質を劣化させるという問題が発生していた。
【００１０】
そこで、本発明は中間周波増幅回路での歪みの発生を少なくし、またビディオ検波回路での妨害信号の発生を押さえ、テレビ受信機の映像品質を高めることができる中間周波回路を実現することを目的とする。
【００１１】
【課題を解決するための手段】
上記の課題を解決するため、本発明の中間周波回路は、混合回路と局部発振回路とによって中間周波数に周波数変換されたテレビ信号を増幅する中間周波増幅回路と、入力容量を有して、前記テレビ信号を所定の選択度特性で伝送するＳＡＷフィルタとを備え、前記中間周波増幅回路と前記ＳＡＷフィルタとの間にインダクタを直列接続し、前記インダクタと前記ＳＡＷフィルタの前記入力容量とでロ−パスフィルタを構成し、前記ロ−パスフィルタのカットオフ周波数を前記中間周波数の帯域よりも高く、前記局部発振回路の発振周波数よりも低く設定した。
【００１２】
【発明の実施の形態】
以下に、本発明の実施の形態を図１乃至図６を用いて説明する。ここで、図１は本発明の中間周波回路のブロック構成図を示し、図２乃至図６は本発明の中間周波回路の選択度特性を示す。
【００１３】
先ず、図１において、テレビチュ−ナの混合回路１と局部発振回路２とによって中間周波数に周波数変換されたテレビ信号は、中間周波同調回路３、中間周波増幅回路４を経て、ＳＡＷフィルタ５に入力される。ここで、ＳＡＷフィルタ５は、中間周波増幅回路４の出力インピ−ダンスが低いために、比較的低インピ−ダンスで入力容量を有するものが使用されている。そして、中間周波増幅回路４とＳＡＷフィルタ５とはコイル等のインダクタ６で直列に接続されている。この結果、中間周波増幅回路４とＳＡＷフィルタ５との間には、インダクタ６とＳＡＷフィルタ５の入力容量７とによって構成されるロ−パスフィルタ８が接続されることになる。ＳＡＷフィルタ５の出力はビディオ検波回路９に入力され、このビディオ検波回路９でビディオ信号が取り出されるようになっている。
【００１４】
ここで、中間周波同調回路３、中間周波増幅回路４、ＳＡＷフィルタ５は、それぞれ、従来の中間周波同調回路２３、中間周波増幅回路２４、ＳＡＷフィルタ２５と同じ構成のものが使用されている。従って、中間周波同調回路３の選択度特性は、図２に示すように、中間周波帯域（図２のＩＦ）をほぼ損失無く通過するように比較的緩慢なな選択度特性を有し、例えば、チュ−ナの局部発振回路２の発振周波数Ｆｏにおいては中間周波帯域ＩｆよりもＡｄＢ減衰するようになっている。これは、図８に示した従来の中間周波同調回路２３の選択度特性と同じである。
【００１５】
また、この中間周波帯域を増幅する中間周波増幅回路４は、テレビ信号を後段のビディオ検波回路９の検波動作に必要なレベルまで適宜増幅する。そして、通常、この中間周波増幅回路４までは混合回路１等とともにテレビチュ−ナとして独立したシ−ルドケ−スに収納されているが、中間周波同調回路３、中間周波増幅回路４は、ＳＡＷフィルタ５とともに中間周波回路を構成している。なお、テレビチュ−ナ内の中間周波増幅回路４の増幅度のみではテレビ信号のレベルが不足してビディオ検波回路９の動作支障を来す場合にはテレビ受信機内に別個の中間周波増幅回路を設けて中間周波回路全体としての増幅度を得るようにすることもある。一方、ビディオ検波回路９は、図示しない電圧制御発振回路と位相比較回路とを有した同期検波方式が用いられており、そのために、中間周波増幅回路４等によってテレビ信号を検波動作に必要なレベルまで増幅している。
【００１６】
そして、中間周波増幅回路４とＳＡＷフィルタ５との間に構成されたロ−パスフィルタ８は、そのカットオフ周波数が中間周波帯域よりも高く、また、チュ−ナの局部発振回路２の発振周波数よりも低く設定されており、図３に示すように、中間周波帯域と局部発振周波数とのレベル差がＣとなるような選択度特性を有している。
【００１７】
ＳＡＷフィルタ５は、通常、平衡型のものが使用され、隣接チャンネルからの妨害を排除するために、図４に示すように、中間周波帯域（図４のＩｆ）を外れたところでは急峻な減衰特性を有しているが、この中間周波帯域から遠く外れた周波数ではほぼ３０ｄＢ程度の一定の減衰量Ｂとなっている。この選択度特性は、図１０に示した従来のＳＡＷフィルタ２５の選択度特性と同じである。従って、ＳＡＷフィルタ５の出力端、即ち、ビディオ検波回路９の入力端での選択度特性は、図５に示すように、図２に示す中間周波同調回路３の選択度特性と図３に示すロ−パスフィルタ８の選択度特性と図４に示すＳＡＷフィルタ５の選択度特性とを合わせた特性となり、中間周波帯域と局部発振周波数Ｆｏとにおけるレベル差はほぼＡ＋Ｂ＋Ｃとなる。
【００１８】
従って、ビディオ検波回路９へ入力される局部発振回路２からの局部発振信号のレベルは従来よりも図３に示すＣｄｂ下がることになり、ビディオ検波回路６で発生する妨害信号のレベルが小さくなる。なお、ＳＡＷフィルタ５の入力容量が無視できる程度に極めて小さい場合であっても、インダクタ６のみによっても中間周波帯域よりも高い周波数を減衰させることが出来るので、同様に、ビディオ検波回路９に入力される局部発振回路２からの発振信号を少なくすることができる。
【００１９】
なお、中間周波増幅回路４の出力インピ−ダンスとＳＡＷフィルタ５の入力インピ−ダンスが整合していない場合は、中間周波増幅回路４とＳＡＷフィルタ５との間のロ−パスフィルタ８は、図３に示すような、いわゆる定Ｋ型フィルタの特性を示さず、図６のような特性となる。即ち、図２に示すような一般の同調回路が示す選択度特性と図３に示す定Ｋ型の選択度特性との中間の選択度特性となる。従って、ロ−パスフィルタ８のインダクタ６とＳＡＷフィルタ５の入力容量７とによる共振周波数を中間周波帯域に設定すれば、この中間周波帯域では同調回路としての特性が現れることになり、ＳＡＷフィルタ５の入力容量の両端の共振電圧が大きくなって、ＳＡＷフィルタ５の入力端に印加される中間周波帯域の信号レベルが高くなることになる。
【００２０】
そのため、ビディオ検波回路９に入力されるテレビ信号のレベルも大きくなる。従って、ビディオ検波回路９の動作に必要な信号レベルを維持できる程度まで中間周波増幅回路４の出力レベルを下げることができ、中間周波増幅回路４は歪みの少ない小振幅動作が可能となり、例えば、中間周波増幅回路４から発生する相互変調歪みを少なくすることができる。なお、この場合でも、チュ−ナの局部発振回路２の発振周波数においては図６に示すようにＤｄｂの減衰があるので、この特性が、図２及び図４にそれぞれ示す中間周波同調回路３及びＳＡＷフィルタ５の選択度特性に加わることによって局部発振回路の発振周波数においては大きな減衰となり、ビディオ検波回路９での妨害信号のレベルを小さくすることができる。
【００２１】
【発明の効果】
以上のように、本発明の中間周波回路は、インダクタとＳＡＷフィルタの入力容量とでロ−パスフィルタを構成し、このロ−パスフィルタのカットオフ周波数を中間周波数の帯域よりも高く、局部発振回路の発振周波数よりも低く設定したので、中間周波数の帯域ではテレビ信号を減衰させることなく、中間周波増幅回路を漏れて出力される局部発振器の発振信号のレベルを大きく減衰させることが可能となる。
【図面の簡単な説明】
【図１】本発明の中間周波回路のブロック構成図である。
【図２】本発明の中間周波回路の選択度特性図である。
【図３】本発明の中間周波回路の選択度特性図である。
【図４】本発明の中間周波回路の選択度特性図である。
【図５】本発明の中間周波回路の選択度特性図である。
【図６】本発明の中間周波回路の選択度特性図である。
【図７】従来の中間周波回路のブロック構成図である。
【図８】従来の中間周波回路の選択度特性図である。
【図９】従来の中間周波回路の選択度特性図である。
【図１０】従来の中間周波回路の選択度特性図である。
【符号の説明】
１  混合回路
２  局部発振回路
３  中間周波同調回路
４  中間周波増幅回路
５  ＳＡＷフィルタ
６  インダクタ
７  入力容量
８  ロ−パスフィルタ
９  ビディオ検波回路
【図１】
0003586060.tif 000002
【図２】
0003586060.tif 000003
【図３】
0003586060.tif 000004
【図４】
0003586060.tif 000005
【図５】
0003586060.tif 000006
【図６】
0003586060.tif 000007
【図７】
0003586060.tif 000008
【図８】
0003586060.tif 000009
【図９】
0003586060.tif 000010
【図１０】
0003586060.tif 000011